(57)【要約】【課題】筐体２２の挿入孔２４にコア部材１０の一端部を挿入して簡単に固定でき、引き抜く方向の力に対して、充分な強度が得られるアンテナ装置３０を提供する。【解決手段】円筒状のコア部材１０の一端部に、挿入方向を遊端とし径方向内側に弾性変形可能なフック１２を設け、コア部材１０内にフック１２に臨んで略半円形の切り欠き３２ａを設けた略棒状の制御部材３２を軸回り回転自在に挿入する。カバー１６をコア部材１０に軸回りに回転自在に設け、カバー１６に制御部材３２を連結する。挿入の際に切り欠き３２ａでフック１２の内側への弾性変形を許容し、フック１２の係合突部１２ａを筐体２２の裏面に係合して固定すると、カバー１６を軸回りに回転操作して制御部材３２を９０度回転させて、フック１２の内側への弾性変形を切り欠き３２ａがなされていない部分で阻止する。【選択図】  図１
2004194001.tif 000002
【特許請求の範囲】
【請求項１】
通信機筐体に穿設した挿入孔に、アンテナエレメントを配設したコア部材の一端部を挿入し、前記一端部に設けた挿入方向と略直交方向に弾性変形可能なフックを前記筐体に係合させて、外方に突出させて固定するアンテナ装置において、前記コア部材の少なくとも前記一端部を筒状とし、前記一端部に前記挿入方向を遊端として前記略直交方向に弾性変形可能で遊端側外方に係合突部を穿設したフックを形成し、前記一端部内に略棒状の制御部材を軸回り回転または軸方向移動自在に挿入し、前記挿入の際に前記フックの内側への弾性変形を許容するとともに前記固定されると前記制御部材の軸回り回転または軸方向移動により前記フックの内側への弾性変形を規制するように構成したことを特徴とするアンテナ装置。
【請求項２】
請求項１記載のアンテナ装置において、前記制御部材を略丸棒状として軸回りに回転自在とするとともにし、前記フックに臨んで断面が略半円形の切り欠きを設け、前記挿入の際に前記略半円形の切り欠きで前記フックの内側への弾性変形を許容し、前記固定されると前記制御部材を９０〜１８０度軸回りに回転させて前記フックの内側への弾性変形を切り欠きがなされていない部分で阻止するように構成したことを特徴とするアンテナ装置。
【請求項３】
請求項１記載のアンテナ装置において、前記制御部材を軸方向移動自在とし、前記制御部材の挿入方向の先端部が前記挿入の際には前記フックに臨む位置に存在せず、固定されて挿入方向へ移動させると前記フックに臨む位置となるようにし、前記挿入の際には前記制御部材を前記コア部材に対して挿入方向へ軸方向移動させず、前記固定されると挿入方向へ軸方向移動させるように構成したことを特徴とするアンテナ装置。
【請求項４】
請求項１記載のアンテナ装置において、前記制御部材を軸方向移動自在とし、前記制御部材に前記フックに臨んで切り欠きを設け、前記挿入の際に前記切り欠きで前記フックの内側への弾性変形を許容し、前記固定されると前記制御部材を軸方向に移動させて前記フックの内側への弾性変形を切り欠きがなされていない部分で阻止するように構成したことを特徴とするアンテナ装置。
【請求項５】
請求項２ないし４記載のアンテナ装置において、前記アンテナエレメントを覆うカバーを設け、前記カバーに前記制御部材を連結し、前記固定されると前記コア部材に対して前記カバーを軸回りに回転または軸方向に移動させて前記フックの内側への弾性変形を阻止するように構成したことと特徴とするアンテナ装置。
【請求項６】
請求項１記載のアンテナ装置において、前記制御部材を軸方向移動自在とし、前記制御部材の一端を前記コア部材から前記挿入方向に突出させ、前記制御部材に、前記フックに臨んで内側への弾性変形を許容するが、前記コア部材に対して前記挿入方向と反対側への相対的軸方向移動により前記フックが縁部に臨んで弾性変形を阻止する切り欠きを設け、前記通信機筐体内に前記挿入の際に前記制御部材の一端が当接して弾性変形する当接部材を配設して構成したことを特徴とするアンテナ装置。
【請求項７】
請求項１記載のアンテナ装置において、前記制御部材を軸方向移動自在とし、前記制御部材の一端を前記コア部材から前記挿入方向に突出させるとともに前記一端を略Ｌ字状に折り曲げ、前記制御部材に、前記フックに臨んで内側への弾性変形を許容するが、前記コア部材に対して前記挿入方向と反対側への相対的軸方向移動により前記フックが縁部に臨んで弾性変形を阻止する切り欠きを設け、前記通信機筐体内に前記挿入の際に前記制御部材の一端の略Ｌ字状の折り曲げ部分の先端が当接する当接部材を配設して構成したことを特徴とするアンテナ装置。
【請求項８】
請求項１記載のアンテナ装置において、前記制御部材を軸方向移動自在とし、前記制御部材の一端を前記コア部材から前記挿入方向に突出させるとともにその先端に弾性部材を配設し、前記制御部材に、前記フックに臨んで内側への弾性変形を許容するが、前記コア部材に対して前記挿入方向と反対側への相対的軸方向移動により前記フックが縁部に臨んで弾性変形を阻止する切り欠きを設け、前記通信機筐体内に前記挿入の際に前記制御部材の一端の前記弾性部材が当接して前記弾性部材が弾性変形する当接部材を配設して構成したことを特徴とするアンテナ装置。
【請求項９】
請求項１記載のアンテナ装置において、前記制御部材を軸方向移動自在とし、前記制御部材の一端を前記コア部材から前記挿入方向に突出させ、前記制御部材に、前記フックに臨んで内側への弾性変形を許容するが、前記コア部材に対して前記挿入方向と反対側への相対的軸方向移動により前記フックが縁部に臨んで弾性変形を阻止する切り欠きを設け、固定されると前記通信機筐体の表面側とその外方に突出する前記コア部材の間に介装される弾性部材を配設し、前記通信機筐体内に前記挿入の際に前記弾性部材を弾性変形させて挿入すると、前記制御部材の一端が当接する当接部材を配設して構成したことを特徴とするアンテナ装置。
【請求項１０】
請求項１記載のアンテナ装置において、前記制御部材を軸方向移動自在とし、前記制御部材の一端を前記コア部材から前記挿入方向に突出させ、前記制御部材に、前記フックに臨んで内側への弾性変形を許容するが、前記コア部材に対して前記挿入方向と反対側への相対的軸方向移動により前記フックが縁部に臨んで弾性変形を阻止する切り欠きを設け、前記制御部材を弾性素材で形成するとともに、前記縁部に変形しない補強部材を設け、前記通信機筐体内に前記挿入の際に前記制御部材の一端が当接して前記制御部材が弾性変形する当接部材を配設して構成したことを特徴とするアンテナ装置。
【請求項１１】
請求項１記載のアンテナ装置において、前記制御部材を軸方向移動自在とし、前記制御部材の一端を前記コア部材から前記挿入方向に突出させ、前記制御部材の挿入方向と反対側の端部が、前記挿入の際には前記フックに臨む位置に存在せず、固定されて挿入方向と反対側への軸方向相対的移動により前記フックが縁部に臨んで弾性変形しない位置となるようにし、前記制御部材を弾性素材で形成するとともに、前記縁部に変形しない補強部材を設け、前記通信機筐体内に前記挿入の際に前記制御部材が弾性変形する当接部材を配設して構成したことを特徴とするアンテナ装置。
【発明の詳細な説明】
【０００１】
【発明の属する技術分野】
本発明は、携帯電話機の筐体に外方に突出して設けられるアンテナ装置であって、筐体の挿入孔に一端部を挿入することで簡単に固定することのできるアンテナ装置に関するものである。
【０００２】
【従来の技術】
従来のこの種のアンテナ装置の一例を図１６ないし図１８を参照して説明する。図１６は、従来のアンテナ装置の一例の縦断面図である。図１７は、図１６のＡ−Ａで断面したコア部材などの拡大矢視断面図である。図１８は、従来例の不具合を説明する拡大要部縦断面図である。
【０００３】
図１６ないし図１８において、絶縁樹脂などからなる略円筒状のコア部材１０の一端部に、挿入方向を遊端として径方向（挿入方向と略直交方向）に弾性変形可能なフック１２が形成される。このフック１２の遊端側に、外方に突出する係合突部１２ａが形成される。コア部材１０の他端側および中央部の外周には、アンテナエレメント１４が適宜に巻回固定される。そして、アンテナエレメント１４を覆うように絶縁樹脂などからなるカバー１６がコア部材１０の他端側および中央部に被せられて適宜に固定される。さらに、コア部材１０の一端側の円筒状内部に円筒状に形成された導電プレート１８が挿入され、アンテナエレメント１４の基端が適宜に電気的接続される。導電プレート１８は、フック１２が内側に弾性変形できるように、適宜な切り欠きまたは変形がなされている。
【０００４】
かかる構造のアンテナ装置２０が、携帯電話機などの通信機の筐体２２に穿設された挿入孔２４にその一端部が挿入されると、図１８に示すごとく、フック１２は内側に弾性変形して挿入が許容され、フック１２の係合突部１２ａが挿入孔２４の裏側に到達すると弾性復帰し、係合突部１２ａが筐体２２の裏面に係合して、アンテナ装置２０が外方に抜けないように固定される。一端部を挿入するという簡単な作業で、アンテナ装置２０を筐体２２から抜け出ないようにして、アンテナ装置２０を筐体２２の外方に突出した状態で固定することができる。
【０００５】
【発明が解決しようとする課題】
上述の従来のアンテナ装置２０の一例にあっては、筐体２２に対して固定する作業は容易であるが、固定されたアンテナ装置２０を筐体２２から引き抜く方向の力に対して、充分な強度が得られない、という不具合があった。
【０００６】
すなわち、引き抜く方向の力によって、フック１２の係合突部１２ａまたはこの係合突部１２ａが当接する筐体２２の挿入孔２４の周縁が少しでも破損されると、また破損されなくとも、フック１２が挿入の際と同方向の内側へ逃げるように弾性変形され易い。そして、このフック１２が内側へ逃げるように弾性変形することで、容易に引き抜かれてしまう、という不具合が生ずる。なお、引き抜く方向の力に対して対抗すべく、フック１２および係合突部１２ａを堅牢に構成するならば、挿入孔２４への挿入の際に、フック１２が必要なだけの弾性変形ができずに破損する虞が生ずる。そこで、引き抜く方向の力に対して、従来は必ずしも充分な強度が得られていなかった。
【０００７】
本発明は、上述のごとき従来技術の事情に鑑みてなされたもので、引き抜く方向の力に対して、充分な強度が得られるようにしたアンテナ装置を提供することを目的とする。
【０００８】
【課題を解決するための手段】
かかる目的を達成するために、本発明のアンテナ装置は、通信機筐体に穿設した挿入孔に、アンテナエレメントを配設したコア部材の一端部を挿入し、前記一端部に設けた挿入方向と略直交方向に弾性変形可能なフックを前記筐体に係合させて、外方に突出させて固定するアンテナ装置において、前記コア部材の少なくとも前記一端部を筒状とし、前記一端部に前記挿入方向を遊端として前記略直交方向に弾性変形可能で遊端側外方に係合突部を穿設したフックを形成し、前記一端部内に略棒状の制御部材を軸回り回転または軸方向移動自在に挿入し、前記挿入の際に前記フックの内側への弾性変形を許容するとともに前記固定されると前記制御部材の軸回り回転または軸方向移動により前記フックの内側への弾性変形を規制するように構成されている。
【０００９】
【発明の実施の形態】
以下、本発明の第１実施例を図１と図２を参照して説明する。図１は、本発明のアンテナ装置の第１実施例の挿入前の状態を示し、（ａ）は縦断面図、（ｂ）は（ａ）のＢ−Ｂ矢視断面図である。図２は、第１実施例の固定された状態を示し、（ａ）は縦断面図、（ｂ）は（ａ）のＣ−Ｃ矢視断面図である。図１と図２において、図１６ないし図１８に示される部材と同じまたは均等なものには、同じ符号を付けて重複する説明を省略する。
【００１０】
図１と図２に示す第１実施例のアンテナ装置３０において、図１６ないし図１８に示す従来例と相違するところは、以下の構造にある。まず、略円筒状のコア部材１０内に略丸棒状の制御部材３２が軸回りに相対的に回転できるように挿入され、この制御部材３２にフック１２に臨んで内側に弾性変形可能なように断面略半円形の切り欠き３２ａが設けられる。また、カバー１６は、コア部材１０に対して軸回りに相対的に９０度ないし１８０度回転操作可能に形成される。そして、制御部材３２の他端部がカバー１６と軸回りに相対回転しないように連結される。
【００１１】
かかる構成において、挿入前にあっては、図１（ａ），（ｂ）のごとく、制御部材３２の切り欠き３２ａがフック１２に臨んだ状態で、フック１２は内側への弾性変形が可能である。そこで、かかる状態で筐体２２の挿入孔２４へ挿入する。すると、フック１２が弾性変形して挿入が許容され、係合突部１２ａが筐体１２の裏側に到達するとフック１２が弾性復帰し、係合突部１２ａが筐体２２の裏面に係合されて固定される。
【００１２】
この固定された状態で、カバー１６を例えば９０度回転操作させることにより、図２（ａ），（ｂ）のごとく、フック１２には、規制部として作用する切り欠かれていない部分が臨み、フック１２は内側への弾性変形が規制される。なお、カバー１６を１８０度回転しても良いことは勿論である。そこで、引き抜き方向への強い力に対しても、フック１２が内側に弾性変形できないので、それだけ大きな力に対抗し得る。
【００１３】
発明者らの実験によれば、従来例にあっては、約６〜７Ｋｇの力によって引き抜かれていたものが、約同寸法の本発明のアンテナ装置では約１１〜１２Ｋｇの力まで耐えることができた。
【００１４】
次に、本発明の第２実施例を図３と図４を参照して説明する。図３は、本発明のアンテナ装置の第２実施例の挿入前の状態を示す縦断面図である。図４は、第２実施例の固定された状態を示す縦断面図である。図３と図４において、図１と図２および図１６ないし図１８に示す部材と同じまたは均等なものには、同じ符号を付けて重複する説明を省略する。
【００１５】
図３と図４に示す図２実施例のアンテナ装置４０において、図１と図２に示す第１実施例と装置するところは、以下の構造にある。まず、略筒状のコア部材１０内に略棒状の制御部材４２が軸方向に相対的に移動できるように挿入される。なお、この制御部材４２には、第１実施例のごとき切り欠きは設けられていない。また、カバー１６は、コア部材１０に対して軸方向に相対的移動操作可能に形成される。このカバー１６の内周面とコア部材１０の外周面には適宜に、軸方向位置をある程度の力までは固定できる円周状の係合部が形成されている。そして、制御部材４２の他端部がカバー１６と軸方向に相対移動しないように連結される。なお、コア部材１０に対して挿入方向と反対側にカバー１６を相対的に引き抜いた状態では、制御部材４２の一端部がフック１２に臨まない長さであり、コア部材１０に対して挿入方向にカバー１６を相対的に移動させた状態では、制御部材４２の一端部がフック１２に臨む長さに設定される。
【００１６】
かかる構成において、挿入前にあっては、図３のごとく、フック１２に臨む位置に制御部材４２が存在していない。そこで、かかる状態でコア部材１０の一端部を筐体２２の挿入孔２４に挿入すれば、フック１２の径方向内側への弾性変形が許容される。そして、フック１２の係合突部１２ａが筐体２２の裏側に到達するとフック１２は弾性復帰し、係合突部１２ａが筐体２２の裏面に係合してアンテナ装置４０が固定される。
【００１７】
さらに、固定後に、図４のごとくカバー１６をコア部材１０に対して挿入方向に相対移動させる。すると、カバー１６に連動して制御部材４２も挿入方向に移動され、フック１２に臨む位置に制御部材４２が存在する状態となって、フック１２の径方向内側への弾性変形が規制される。このフック１２の径方向内側への弾性変形の規制により、第１実施例と同様に、引き抜き方向の力に対して、強固に固定される。
【００１８】
なお、上記第２実施例では、制御部材４２の挿入方向先端が、挿入の際にはフック１２に臨む位置にないが、制御部材４２の挿入方向先端をフック１２に臨む位置またはさらに挿入方向に伸ばし、制御部材４２にフック１２に臨んで、第１実施例と同様の切り欠きを設けても良い。挿入の際には、制御部材４２に設けた第１実施例と同様の切り欠きで、フック１２が径方向内側に弾性変形するのを許容し、固定されると制御部材４２が挿入方向に相対移動されて、切り欠きがフック１２に臨む位置からずれ、制御部材４２によりフック１２の内側への弾性変形が規制されるようにしても良い。
【００１９】
また、本発明の第３実施例を図５ないし図７を参照して説明する。図５は、本発明のアンテナ装置の第３実施例の挿入前の状態を示し、（ａ）は縦断面図、（ｂ）は（ａ）のＤ−Ｄ矢視断面図である。図６は、第３実施例の固定された状態を示し、（ａ）は縦断面図、（ｂ）は（ａ）のＥ−Ｅ矢視断面図である。図７は、第３実施例で、制御部材の動作を説明する要部拡大縦断面図である。図５ないし図７において、図１ないし図４および図１６ないし図１８に示される部材６と同じまたは均等なものには、同じ符号を付けて重複する説明を省略する。
【００２０】
図５ないし図７に示す第３実施例のアンテナ装置５０において、図１と図２に示す第１実施例と相違するところは、以下の構造にある。まず、略筒状のコア部材１０内に略丸棒状の制御部材５２が軸方向に相対的に移動可能に挿入され、その一端部５２ｂがコア部材１０の一端部より挿入方向に突出される。しかも、制御部材５２には、フック１２に臨んで内側に弾性変形可能となるように切り欠き５２ａが設けられる。なお、制御部材５２は、第１実施例と異なり、カバー１６に連結されていない。さらに、筐体２２内には、制御部材５２の一端部５２ｂが当接する当接部材５４が適宜に設けられている。
【００２１】
かかる構成において、挿入前にあっては図５（ａ）、（ｂ）のごとく、制御部材５２の切り欠き５２ａがフック１２に臨んだ状態で、フック１２は内側への弾性変形が可能である。なお、切り欠き５２ａの縁は急峻に立ち上げて形成され、フック１２の遊端の挿入方向先端より僅かに挿入方向前方となるように制御部材５２が配置されている。そこで、かかる状態で、筐体２２の挿入孔２４へ挿入する。すると、フック１２が切り欠き５２ａ内に収容されて内側に弾性変形し、挿入が許容される。このフック１２が切り欠き５２ａ内に収容されて径方向内側に弾性変形されている状態では、図７に示すごとく、制御部材５２はコア部材１０に対して挿入方向と反対側への相対的移動が阻止される。そして、係合突部１２ａが筐体２２の裏側へ到達する直前に、制御部材５２の一端部５２ｂの先端が当接部材５４に当接する。さらに、係合突部１２ａが筐体２２の裏側へ到達するまでコア部材１０が挿入方向へ移動され、当接部材５４は寸法Ｐだけ弾性変形して、制御部材５２の一端部５２ｂの挿入方向への移動を許容する。かかる状態で、係合突部１２ａが筐体２２の裏側に到達すると、フック１２は弾性復帰し、制御部材５２は挿入方向と反対側への軸方向相対移動が可能となり、当接部材５４が弾性復帰する弾力により、コア部材１０に対して挿入方向と反対側へ寸法Ｐだけ相対的移動される。この制御部材５２の移動により、フック１２の挿入方向先端部に切り欠き５２ａの縁部５２ｃが臨む状態となり、図６のごとく、フック１２の径方向内側への弾性変形が規制される。もって、図６のごとく固定された状態では、フック１２が径方向内側に弾性変形しないことにより、強い引き抜き方向の力に対抗し得る。
【００２２】
さらに、本発明の第４実施例を図８と図９を参照して説明する。図８は、本発明のアンテナ装置の第４実施例の挿入前の状態を示す縦断面図である。図９は、第４実施例の固定された状態を示す縦断面図である。図８と図９において、図１ないし図７および図１６ないし図１８に示される部材と同じまたは均等なものには、同じ符号を付けて重複する説明を省略する。
【００２３】
図８と図９に示す第４実施例のアンテナ装置６０において、図５ないし図７に示す第３実施例と相違するところは、以下の構造である。まず、コア部材１０から突出された制御部材６２の一端部６２ｂが、先端で略Ｌ字状に折り曲げられてＬ字状部分６２ｄが形成される。そして、挿入の際に、筐体２２内に設けられた当接部材６４に制御部材６２の一端部６２ｂのＬ字状部分６２ｄの先端が当接して、Ｌ字状部分６２ｄが、図９に一点鎖線で示すごとく、挿入方向に寸法Ｐだけ弾性変形するように形成される。この当接部材６４は、弾性変形する必要はないが、一端部６２ｂのＬ字状部分６２ｄの弾性変形とともに挿入方向に弾性変形しても良い。なお、６２ａは、フック１２が径方向内側に弾性変形するのを許容するように、制御部材６２に設けられた切り欠きである。
【００２４】
かかる構成で、挿入の際には、図８に示す状態であって、制御部材６２の切り欠き６２ａにフック１２が収容されて、フック１２は径方向内側に弾性変形可能であり、挿入孔２４へのコア部材１０の一端部の挿入が許容される。なお、挿入孔２４には、制御部材６２のＬ字状部分６２ｄが通過し得るスリット（図示せず）が設けられることは勿論である。そして、フック１２の係合突部１２ａが筐体１２の裏側に到達する直前に、制御部材６２のＬ字状部分６２ｄが当接部材６４に当接し、さらなる挿入方向への移動によりＬ字状部分６２ｄが図９に一点鎖線で示すごとく弾性変形し、係合突部１２ａが筐体２２の裏側に到達するとフック１２は弾性復帰し、係合突起１２ａが筐体２２の裏面に係合する。同時にＬ字状部分６２ｄが弾性復帰し、制御部材６２が挿入方向と反対側にコア部材１０に対して軸方向相対移動され、切り欠き６２ａの縁部６２ｃがフック１２の遊端部に臨む位置となる。もって、縁部６２ｃにより、フック１２の径方向内側への弾性変形が規制される。
【００２５】
そしてまた、本発明の第５実施例を図１０を参照して説明する。図１０は、本発明のアンテナ装置の第５実施例の挿入前の状態を示す縦断面図である。図１０において、図１ないし図９および図１６ないし図１８に示された部材と同じまたは均等なものには、同じ符号を付けて重複する説明を省略する。
【００２６】
図１０に示す第５実施例のアンテナ装置７０において、図８と図９に示す第４実施例と相違するところは、制御部材７２の一端部７２ｂの先端に弾性部材７４が配設されたことにある。なお、７２ａは、制御部材７２に設けられた切り欠きである。
【００２７】
かかる構成において、挿入の際に筐体２２内に設けた当接部材に弾性部材７４が当接して弾性部材７４が弾性変形し、係合突部１２ａが筐体２２の裏側に到達してフック１２が弾性復帰すると、弾性部材７４も弾性復帰して制御部材７２をコア部材１０に対して相対的に挿入方向と反対側に軸方向移動させる。もって、切り欠き７２ａの縁部７２ｃによりフック１２の径方向内側への弾性変形が規制される。
【００２８】
そしてさらに、本発明の第６実施例を図１１ないし図１３を参照して説明する。図１１は、本発明のアンテナ装置の第６実施例の挿入前の状態を示す縦断面図である。図１２は、第６実施例の固定された状態を示す縦断面図である。図１３は、第６実施例で、弾性部材の動作を説明する図である。図１１ないし図１３において、図１ないし図１０および図１６ないし図１８に示される部材と同じまたは均等なものには、同じ符号を付けて重複する説明を省略する。
【００２９】
図１１ないし図１３に示す第６実施例のアンテナ装置８０において、図５ないし図７に示す第３実施例と相違するところは、以下の構造にある。まず、固定された状態で、外方に突出するコア部材１０と筐体２２の表側との間に介装されるようにＯリングなどの弾性部材８２が設けられる。そして、筐体２２内に設けられる当接部材５４は、必ずしも弾性変形しなくても良い。
【００３０】
この第６実施例において、図１１の状態で挿入孔２４へコア部材１０の一端部が挿入されると、フック１２が径方向内側に弾性変形して挿入が許容される。そして、係合突部１２ａが筐体２２の裏側に到達すると、フック１２が弾性復帰し、これと同時に制御部材５２の一端部５２ｂの先端が当接部材５４に当接する。さらに、係合突部１２ａを筐体２２の裏面から寸法Ｐだけ離すように挿入することにより、図１３に示すごとく、弾性部材８２は大きく弾性変形し、一端部５２ｂが当接部材５４に当接し、制御部材５２はコア部材１０に対して相対的に挿入方向と反対側に軸方向移動され、縁部５２ｃがフック１２の遊端部に臨む位置となって径方向内側への弾性変形を規制する。かかる状態で、コア部材１０を挿入方向へ挿入する力を解除すると、弾性部材８２が弾性復帰し、係合突部１２ａが筐体２２の裏面に係合するようにコア部材１０を挿入方向と反対側に軸方向移動させて、図１２のごとく固定される。ここで、制御部材５２の一端部５２ｂの先端は、当接部材５４が全く弾性変形しなかったとすれば、当接部材５４から寸法Ｐだけ離れた状態となる。
【００３１】
さらにまた、本発明の第７実施例を図１４を参照して説明する。図１４は、本発明のアンテナ装置の第７実施例の挿入前の状態を示す縦断面図である。図１４において、図１ないし図１３および図１６ないし図１８に示される部材と同じまたは均等なものには、同じ符号を付けて重複する説明を省略する。
【００３２】
図１４に示す第７実施例のアンテナ装置９０において、図１０に示す第５実施例と相違するところは、制御部材９２自体を弾性素材で形成し、切り欠き９２ａの縁部９２ｃに変形しない金属リングなどの補強部材９４を設けたことにある。挿入の際に、筐体２２内に設けた当接部材に制御部材９２の一端部９２ｂの先端が当接して、一端部９２ｂ自体が軸方向に縮むように弾性変形し、係合突部１２ａが筐体２２の裏側に到達してフック１２が弾性復帰すると、制御部材９２の一端部９２ｂも弾性復帰して制御部材９２をコア部材１０に対して相対的に挿入方向と反対側に軸方向移動させる。もって、切り欠き９２ａの縁部９２ｃの補強部材９４によりフック１２の径方向内側への弾性変形が規制される。
【００３３】
さらにそして、本発明の第８実施例を図１５を参照して説明する。図１５は、本発明のアンテナ装置の第８実施例の挿入前の状態を示す縦断面図である。図１５において、図１ないし図１４および図１６ないし図１８に示される部材と同じまたは均等なものには、同じ符号を付けて重複する説明を省略する。
【００３４】
図１５に示す第８実施例のアンテナ装置１００において、図１４に示す第７実施例と相違するところは、制御部材１０２が、第７実施例の切り欠き９２ａの縁部９２ｃへの立ち上がり位置で切断され、挿入方向前方部分のみとしたものである。すなわち、制御部材１０２をフック１２の遊端の挿入方向先端より僅かに挿入方向前方位置から挿入方向前方にある部分のみで形成したものである。そして、制御部材１０２自体は弾性素材で形成され、後端縁に金属リングなどの変形しない補強部材１０４が配設される。かかる第８実施例にあっても、第７実施例と同様に作用し、筐体２２の挿入孔２４への挿入にともない、制御部材１０２の先端が当接部材に当接して、係合突部１２ａが筐体２２の裏側に到達すれば、制御部材１０２は挿入方向と反対側に軸方向移動され、補強部材１０４によりフック１２は径方向内側への弾性変形が規制される。
【００３５】
なお、図５ないし図１３に示す第３実施例ないし第６実施例は、いずれも制御部材５２，６２，７２に切り欠き５２ａ，６２ａ，７２ａが設けられているが、図１４に示す第７実施例に対する図１５に示す第８実施例のごとく、制御部材５２，６２，７２をいずれも切り欠き５２ａ，６２ａ，７２ａの縁部５２ｃ，６２ｃ，７２ｃへの立ち上がりから挿入方向前方にある部分のみとしても良い。
【００３６】
【発明の効果】
以上説明したように本発明のアンテナ装置は構成されているので、以下のごとき格別な効果を奏する。
【００３７】
請求項１記載のアンテナ装置にあっては、フックを内側に弾性変形させて挿入孔への挿入を許容させ、係合突部が筐体の裏側に到達してフックが弾性復帰して係合突部が筐体の裏面に係合して固定されると、コア部材に挿入された制御部材を軸回り回転または軸方向移動させて、フックが内側へ弾性変形するのを規制するので、引き抜き方向に強い力が作用しても、フックが内側に弾性変形して逃げることができず、もって大きな力に対抗することができる。
【００３８】
請求項２記載のアンテナ装置にあっては、挿入孔に挿入して固定された後で、カバーを軸回りに回転操作することで、制御部材をフックが内側に弾性変形するのを規制する状態とすることができる。
【００３９】
請求項３または４記載のアンテナ装置にあっては、挿入孔に挿入して固定された後で、カバーをさらにコア部材に対して相対的に挿入方向に軸方向移動させることで、制御部材をフックが内側に弾性変形するのを規制する状態とすることができる。
【００４０】
請求項５ないし１１記載のいずれのアンテナ装置にあっても、挿入孔に挿入してフックの係合突部が筐体の裏側に到達してフックが弾性復帰すると、制御部材がコア部材に対して相対的に挿入方向と反対側に軸方向移動され、フックが内側へ弾性変形するのを規制する状態となる。コア部材を挿入方向に挿入操作することでアンテナ装置を筐体に簡単に固定することができる。しかも、引き抜く方向の大きな力に対抗することができる。
【図面の簡単な説明】
【図１】本発明のアンテナ装置の第１実施例の挿入前の状態を示し、（ａ）は縦断面図、（ｂ）は（ａ）のＢ−Ｂ矢視断面図である。
【図２】第１実施例の固定された状態を示し、（ａ）は縦断面図、（ｂ）は（ａ）のＣ−Ｃ矢視断面図である。
【図３】本発明のアンテナ装置の第２実施例の挿入前の状態を示す縦断面図である。
【図４】第２実施例の固定された状態を示す縦断面図である。
【図５】本発明のアンテナ装置の第３実施例の挿入前の状態を示し、（ａ）は縦断面図、（ｂ）は（ａ）のＤ−Ｄ矢視断面図である。
【図６】第３実施例の固定された状態を示し、（ａ）は縦断面図、（ｂ）は（ａ）のＥ−Ｅ矢視断面図である。
【図７】第３実施例で、制御部材の動作を説明する要部拡大縦断面図である。
【図８】本発明のアンテナ装置の第４実施例の挿入前の状態を示す縦断面図である。
【図９】第４実施例の固定された状態を示す縦断面図である。
【図１０】本発明のアンテナ装置の第５実施例の挿入前の状態を示す縦断面図である。
【図１１】本発明のアンテナ装置の第６実施例の挿入前の状態を示す縦断面図である。
【図１２】第６実施例の固定された状態を示す縦断面図である。
【図１３】第６実施例で、弾性部材の動作を説明する図である。
【図１４】本発明のアンテナ装置の第７実施例の挿入前の状態を示す縦断面図である。
【図１５】本発明のアンテナ装置の第８実施例の挿入前の状態を示す縦断面図である。
【図１６】従来のアンテナ装置の一例の縦断面図である。
【図１７】図１６のＡ−Ａで断面したコア部材などの拡大矢視断面図である。
【図１８】従来例の不具合を説明する拡大要部縦断面図である。
【符号の説明】
１０  コア部材
１２  フック
１２ａ  係合突部
１４  アンテナエレメント
１６  カバー
１８  導電プレート
２０，３０，４０，５０，６０，７０，８０，９０，１００  アンテナ装置
２２  筐体
２４  挿入孔
３２，４２，５２，６２，７２，９２，１０２  制御部材
３２ａ，５２ａ，６２ａ，７２ａ，９２ａ  切り欠き
５２ｂ，６２ｂ，７２ｂ，９２ｂ  一端部
５２ｃ，６２ｃ，７２ｃ，９２ｃ  縁部
５４，６４  当接部材
６２ｄ  Ｌ字状部分
７４，８２  弾性部材
９４，１０４補強部材
【図１】
2004194001.tif 000003
【図２】
2004194001.tif 000004
【図３】
2004194001.tif 000005
【図４】
2004194001.tif 000006
【図５】
2004194001.tif 000007
【図６】
2004194001.tif 000008
【図７】
2004194001.tif 000009
【図８】
2004194001.tif 000010
【図９】
2004194001.tif 000011
【図１０】
2004194001.tif 000012
【図１１】
2004194001.tif 000013
【図１２】
2004194001.tif 000014
【図１３】
2004194001.tif 000015
【図１４】
2004194001.tif 000016
【図１５】
2004194001.tif 000017
【図１６】
2004194001.tif 000018
【図１７】
2004194001.tif 000019
【図１８】
2004194001.tif 000020